(57)【要約】【課題】放熱パイプによって第２ガスケットが温められることに起因する冷却効率の低下を抑制し得る冷蔵庫を提供すること。【解決手段】冷蔵庫は、扉３００に設けられ、扉３００が閉じられた状態において冷蔵庫本体２００に当接することにより貯蔵室を閉塞する第１ガスケット１１０と、断熱材１２１を有し、第１ガスケット１１０が接する位置よりも貯蔵室側における冷蔵庫本体２００に設けられた第２ガスケット１２０と、を有する。これにより、放熱パイプ２０４によって第２ガスケット１２０が温められることに起因する冷却効率の低下を抑制できる。【選択図】図３
2018189333.tif 000002
【特許請求の範囲】
【請求項１】
冷蔵庫の扉に設けられ、前記扉が閉じられた状態において冷蔵庫本体に当接する第１ガスケットと、
前記冷蔵庫本体の貯蔵室側の側面に配置され、断熱材を有する第２ガスケットと、
を備える冷蔵庫。
【請求項２】
前記第１ガスケット及び前記第２ガスケットは、前記扉と前記冷蔵庫本体との間に設けられ、
前記第２ガスケットは、前記第１ガスケットより、前記冷蔵庫の貯蔵室側に位置する、
請求項１記載の冷蔵庫。
【請求項３】
前記第２ガスケットは、
前記断熱材を覆い、前記断熱材よりも剛性が高い被覆材を有する、
請求項１または請求項２に記載の冷蔵庫。
【請求項４】
前記第２ガスケットは、前記扉が閉じられた状態において、前記扉に接することなく、前記扉と前記冷蔵庫本体との間の隙間を狭小化する、
請求項１から請求項３のいずれか一項に記載の冷蔵庫。
【請求項５】
前記第２ガスケットは、表面の断面が楕円形状である、
請求項１から請求項４のいずれか一項に記載の冷蔵庫。
【請求項６】
前記第２ガスケットは、
前記断熱材がパウチ形状の樹脂からなる被覆材により被覆されている、
請求項１から請求項５のいずれか一項に記載の冷蔵庫。
【請求項７】
前記断熱材は、エアロゲルと繊維とを含む、
請求項１から請求項６のいずれか一項に記載の冷蔵庫。
【発明の詳細な説明】
【技術分野】
【０００１】
本開示は、貯蔵室の密閉性を高めるために、第１ガスケットに加えて、第１ガスケットよりも貯蔵室側に第２ガスケットが設けられた冷蔵庫に関する。
【背景技術】
【０００２】
従来、マグネットなどが内蔵された第１ガスケットに加えて、第１ガスケットよりも貯蔵室側に第２ガスケットを設けることで、貯蔵室からの冷気の逃げをより抑制できるようにした冷蔵庫が開示されている（例えば特許文献１参照）。
【先行技術文献】
【特許文献】
【０００３】
【特許文献１】実開平０４−０４３７８６号公報
【発明の概要】
【発明が解決しようとする課題】
【０００４】
しかしながら、第２ガスケットを設けた冷蔵庫においては、確かに貯蔵室からの冷気の逃げをより抑制できるようになるが、圧縮機の熱を放熱する放熱パイプからの熱が第２ガスケットを介して扉側に伝わり、扉が温められ、この結果貯蔵室の冷却効率が低下するおそれがある。同様に、放熱パイプの熱により第２ガスケットが温められると、第２ガスケットからの放熱により貯蔵室が温められて、冷却効率が低下する。
【０００５】
従来は、このような放熱パイプによって第２ガスケットが温められることに起因する冷却効率の低下については、十分な配慮がなされていなかった。
【０００６】
本開示の目的は、放熱パイプによって第２ガスケットが温められることに起因する冷却効率の低下を抑制し得る冷蔵庫を提供することである。
【課題を解決するための手段】
【０００７】
本開示の冷蔵庫は、
冷蔵庫の扉に設けられ、前記扉が閉じられた状態において冷蔵庫本体に当接する第１ガスケットと、
前記冷蔵庫本体の貯蔵室側の側面に配置され、断熱材を有する第２ガスケットと、
を備える。
【発明の効果】
【０００８】
本開示によれば、放熱パイプによって第２ガスケットが温められることに起因する冷却効率の低下を抑制できるようになる。
【図面の簡単な説明】
【０００９】
【図１】実施の形態に係る冷蔵庫の全体構成を示す斜視図
【図２】図１の冷蔵庫の断面図
【図３】実施の形態のガスケットの構成を示す断面図
【図４】他の実施の形態のガスケットの構成を示す断面図
【図５】他の実施の形態のガスケットの構成を示す断面図
【発明を実施するための形態】
【００１０】
以下、本開示の実施の形態について、図面を参照して詳細に説明する。
【００１１】
＜１＞実施の形態
＜１−１＞冷蔵庫の全体構成
図１は、本実施の形態の冷蔵庫１０の全体構成を示す斜視図であり、図２は、冷蔵庫１０の断面図である。
【００１２】
冷蔵庫１０は、冷蔵庫本体２０と、冷蔵庫本体２０に開閉自在に取り付けられた複数の扉１１〜１６と、を有する。具体的には、冷蔵室３１の前面側には第１及び第２の回転扉１１、１２が設けられている。第１及び第２の回転扉１１、１２の下方には、複数の引き出し型の扉、具体的には、製氷室扉１３、上部冷凍室扉１４、下部冷凍室扉１５及び野菜室扉１６が設けられている。製氷室扉１３は製氷室３２の前面側に設けられており、上部冷凍室扉１４は上部冷凍室３３の前面側に設けられており、下部冷凍室扉１５は下部冷凍室３４の前面側に設けられており、野菜室扉１６は野菜室３５の前面側に設けられている。
【００１３】
また、冷蔵庫１０は、冷蔵室３１、製氷室３２、冷凍室３３、３４及び野菜室３５への冷気を生成し送り出すための、圧縮機２１、冷却器２２及び冷却ファン２３等を有する。
【００１４】
さらに、冷蔵庫本体２０と各扉１１〜１６との間には、貯蔵室（冷蔵室３１、製氷室３２、冷凍室３３、３４、野菜室３５）からの冷気の逃げを防止するためのガスケット１００が設けられている。
【００１５】
＜１−２＞ガスケット
図３は、本実施の形態のガスケットの構成を示す断面図である。なお、図３では、便宜上、冷蔵庫本体２０を参照符号「２００」で示し、扉１１〜１６を参照符号「３００」で示してある。
【００１６】
冷蔵庫本体２００は、主に鋼板などでなる外箱２０１と、ＡＢＳ樹脂などでなる内箱２０２と、外箱２０１と内箱２０２との間に充填された発泡ウレタンなどでなる断熱材２０３と、を有する。また、冷蔵庫本体２００は、放熱パイプ２０４を有する。放熱パイプ２０４は、外箱２０１の近傍であり、かつ、ガスケット１００の近傍に設けられている。放熱パイプ２０１は、圧縮機２１に連結されており、圧縮機２１で発生した熱を外気に放熱する機能を有する。また放熱パイプ２０１は、ガスケット１００近傍の外箱２０１を温めてガスケット１００ならびに外箱２０１での結露発生を防止する機能を有する。
【００１７】
扉３００は、扉外板３０１と扉内板３０２との間に発泡ウレタンなどでなる断熱材３０３が充填されて構成されている。
【００１８】
ガスケット１００は、扉３００に設けられた第１ガスケット１１０と、冷蔵庫本体２００に設けられた第２ガスケット１２０と、からなる。
【００１９】
第１ガスケット１１０は、扉３００に、冷蔵庫本体２００方向に突出するように設けられており、扉３００が閉じられた状態において冷蔵庫本体２００に当接することにより、貯蔵室（冷蔵室３１、製氷室３２、冷凍室３３、３４、野菜室３５）を閉塞する。第１ガスケット１１０は、内部に空気室１１１をもつ可撓部１１２と、マグネット１１３と、を有する。これにより、第１ガスケット１１０は、マグネット１１３の磁力によって冷蔵庫本体２００の外箱２０１に吸着する。また、第１ガスケット１１０は、空気室１１１による断熱効果によって、貯蔵室内への熱伝導を抑制する。
【００２０】
第２ガスケット１２０は、第１ガスケット１１０が接する位置よりも貯蔵室側における冷蔵庫本体２００の側面に、扉３００方向に突出するように設けられている。これにより、第２ガスケット１２０は、扉３００が閉じられた状態において、扉３００と冷蔵庫本体２００との間の隙間を狭小化することにより、第１ガスケット１１０と貯蔵室との間の空気の流れを小さくする。この結果、第１ガスケット１１０のみを設けた場合と比較して、ガスケット１００を介しての冷気の漏れをより小さくすることができる。
【００２１】
第２ガスケット１２０は、断熱材１２１と、断熱材１２１を覆い、断熱材１２１よりも剛性が高い被覆材１２２と、により構成されている。断熱材１２１は例えば薄肉の発泡ウレタンから構成されている。また、断熱材１２１は、例えば薄肉構造であっても厚肉の発泡ウレタンと同等の熱伝導率が得られるエアロゲル不織布複合断熱材のように、断熱ビーズと繊維構造物とを複合して構成されていてもよい。被覆材１２２は例えばＰＶＣ（ポリ塩化ビニル）から構成されている。第２ガスケット１２０は、冷蔵庫本体２００に接着剤によって固着されている。
【００２２】
エアロゲル不織布複合断熱材は、エアロゲルが不織布の繊維間に位置する断熱材であり、エアロゲルの高い断熱性能を維持しつつ、繊維で強度が確保されている。繊維により変形もできる。エアロゲル不織布複合断熱材の熱伝導率は１５ｍＷ／ｍＫ以上３０ｍＷ／ｍＫ以下である。ウレタンなどの熱伝導率は、１００ｍＷ／ｍＫ以上である。結果、エアロゲル不織布複合断熱材は、ウレタンなどより３分の１〜５分の１の厚みで同等の断熱性能がでる。よって、断熱材としてエアロゲル不織布複合断熱材を用いるのが好ましい。
【００２３】
以上の構成において、本実施の形態の冷蔵庫１０は、第１ガスケット１１０に加えて、第１ガスケット１１０よりも貯蔵室側に第２ガスケット１２０を有するので、第１ガスケット１１０だけを設けた場合と比較して、貯蔵室からの冷気の逃げをより抑制できる。
【００２４】
ただし、第２ガスケット１２０は冷蔵庫本体２００（２０）に取り付けられているので、放熱パイプ２０４からの熱が冷蔵庫本体２００を介して第２ガスケット１２０に伝わる。この熱によって第２ガスケット１２０が温められると、第２ガスケット１２０からの放熱により周辺の空気が温められ、その結果、貯蔵室の冷却効率が低下するおそれがある。
【００２５】
しかし、本実施の形態の第２ガスケット１２０は、断熱材１２１を有する構成とされているので、第２ガスケット１２０は放熱パイプ２０４からの熱によって温まりにくく、よって、第２ガスケット１２０からの放熱による貯蔵室の冷却効率の低下を抑制し得る。
【００２６】
また、第２ガスケット１２０は扉３００に当接することなく、扉３００との間に隙間が存在する厚さとされているので、放熱パイプ２０４の熱により第２ガスケット１２０の温度が若干上昇したとしても、その熱が第２ガスケット１２０を介して直接扉３００に伝わることがない。この結果、放熱パイプ２０４の熱によって扉３００が温められることがないので、扉３００の温度上昇によって貯蔵室の冷却効率が低下することを防止できる。
【００２７】
つまり、第２ガスケット１２０が扉３００に接するようにすれば、貯蔵室と外気をほぼ完全に遮断できるが、本実施の形態では、放熱パイプ２０４の熱が第２ガスケット１２０を介して扉３００に伝わるおそれがあることを考慮して、第２ガスケット１２０と扉３００との間に隙間を設けた構成としている。なお、第２ガスケット１２０も第１ガスケット１１０のように空気室を有する構成にすれば扉３００への熱伝導を抑制できると考えられるが、このようにすると第２ガスケット１２０の構成が複雑化する。これを考慮して、本実施の形態では、第２ガスケット１２０の構成を複雑化させることなく、あくまでも第２ガスケット１２０には第１ガスケット１１０の補助的な機能を持たせている。また、第２ガスケット１２０と扉３００との間に隙間を設けた構成としているので、扉３００が第２ガスケット１２０に接することによって扉３００が閉まりにくくなるといった問題も生じない。
【００２８】
因みに、本実施の形態では、第２ガスケット１２０は冷蔵庫本体２００側に設けられているので、第２ガスケット１２０を扉３００側に設けた場合と比較して、貯蔵室の冷却効率の低下をより抑制できると考えられる。つまり、冷蔵庫本体２００側に位置する放熱パイプ２０４の熱が内箱２０２の表面から貯蔵室内に伝わるが、本実施の形態のように、第２ガスケット１２０を冷蔵庫本体２００側に設けた場合には、放熱パイプ２０４の熱が内箱２０２の表面で第２ガスケット１２０に設けられた断熱材１２１により断熱されるため、貯蔵室内へ熱が伝わりにくく、貯蔵室の冷却効率の低下を抑制できる。
【００２９】
因みに、扉３００を閉じた状態でのガスケット１００以外の位置での実際の冷蔵庫本体２００と扉３００の隙間は２〜３ｍｍであり、本実施の形態では、第２ガスケット１２０によりその隙間を狭小化しているので、狭小化後の隙間は非常に狭くなる。
【００３０】
さらに、本実施の形態では、第２ガスケット１２０を可動部である扉３００側ではなく、冷蔵庫本体２００側に設けたので、第２ガスケット１２０の取付を簡単化できる。つまり、特に図１における冷蔵室３１においては、第１の回転扉１１と第２の回転扉１２があるため、扉３００側に第２ガスケットを設ける場合には、中央の観音開き部を除く左右の回転扉１１、１２に６辺分の第２ガスケット１２０を取付けなければならないが、本実施の形態では、冷蔵庫本体２００側の開口部４辺にのみ取付ければよいため、第２ガスケット１２０の部品点数を削減し、取付を簡単化できる。
【００３１】
以上説明したように、本実施の形態によれば、扉３００に設けられ、扉３００が閉じられた状態において冷蔵庫本体２００に当接することにより貯蔵室を閉塞する第１ガスケット１１０と、断熱材１２１を有し、第１ガスケット１１０が接する位置よりも貯蔵室側における冷蔵庫本体２００に設けられた第２ガスケット１２０と、を有するので、放熱パイプ２０４によって第２ガスケット１２０が温められることに起因する冷却効率の低下を抑制し得る冷蔵庫１０を実現できる。
【００３２】
＜２＞他の実施の形態
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００３３】
例えば第２ガスケット１２０の構成を、図４に示したように変更してもよい。図３との対応部分に同一符号を付して示す図４においては、第２ガスケット１３０の形状が図３の第２ガスケット１２０と異なる。図４の第２ガスケット１３０は、表面の断面が楕円形状である。このようにすることで、第２ガスケット１３０の表面積が小さくなり、第２ガスケット１３０の表面への放熱を小さくでき、この結果、第２ガスケット１３０からの放熱による冷却効率の低下をより抑制できるようになる。図４の例では、断熱材１３１が、表面の断面が楕円形状の被覆材１３２によって被覆されている。
【００３４】
また、第２ガスケット１２０の構成を、図５に示したように変更してもよい。図３との対応部分に同一符号を付して示す図５においては、第２ガスケット１４０の形状が図３の第２ガスケット１２０と異なる。図５の第２ガスケット１４０は、断熱材１４１をパウチ形状の樹脂からなる被覆材１４２により被覆して形成されている。これにより、断熱材１４１の体積を大きくすることができるので、第２ガスケット１４０の断熱性をより高めることができるようになる。
【００３５】
なお、上述の実施の形態では、断熱材１２１、１３１、１４１を断熱材１２１、１３１、１４１よりも剛性が高い被覆材１２２、１３２、１４２によって被覆しているが、断熱材として、露出した状態でも十分な剛性を有するものを用いれば、被覆材１２２、１３２、１４２を省略してもよい。ただし、多くの断熱材は発泡構造を有し、十分な剛性が得られないので、被覆材によって剛性を高めることが耐久性を高めるなどの点で有効である。
【００３６】
また、上述の実施の形態では、扉３００が閉じられた状態において、第２ガスケット１２０が扉３００に接しない構成としたが、第２ガスケットが扉３００に接するようにしてもよい。このようにした場合でも、第２ガスケット１２０は断熱材１２１を有するので、放熱パイプ２０４の熱が扉３００へと伝わることを抑制できる。ただし、第２ガスケット１２０が扉３００に接しない構成とした方が、放熱パイプ２０４の熱が扉３００へと伝わることをより抑制でき、かつ、扉３００が閉まりにくくなるといった問題も生じないので、より好ましい。
【００３７】
当然、上記冷蔵庫に対象物を保存し使用することで、業務用冷蔵庫としても使用できる。
【産業上の利用可能性】
【００３８】
本開示は、民生用の冷蔵庫のみならず、業務用冷蔵庫などガスケットによって扉の密閉性を確保している種々の温冷熱機器への適用が可能であり、こうした種々の温冷熱機器の省エネルギー化に貢献できる。
【符号の説明】
【００３９】
１０  冷蔵庫
１１、１２  回転扉
１３  製氷室扉
１４、１５  冷凍室扉
１６  野菜室扉
２０、２００  冷蔵庫本体
２１  圧縮機
２２  冷却器
２３  冷却ファン
３１  冷蔵室
３２  製氷室
３３、３４  冷凍室
３５  野菜室
１００  ガスケット
１１０  第１ガスケット
１１１  空気室
１１２  可撓部
１１３  マグネット
１２０、１３０、１４０  第２ガスケット
１２１、１３１、１４１、２０３、３０３  断熱材
１２２、１３２、１４２  被覆材
３００  扉
２０１  外箱
２０２  内箱
２０４  放熱パイプ
３０１  扉外板
３０２  扉内板
【図１】
2018189333.tif 000003
【図２】
2018189333.tif 000004
【図３】
2018189333.tif 000005
【図４】
2018189333.tif 000006
【図５】
2018189333.tif 000007